(57)【要約】【課題】  収納容器内にて電極体を安定して保持し、高い信頼性を獲得する。【解決手段】    電極体１１ａ及び１１ｂと、電解液と、電極体１１ａ及び１１ｂ及び電解液を収納する容器本体１０及び蓋部２０から構成される収納容器と、電極体１１ａ及び１１ｂと収納容器の内底１０ｙとの間に位置し、電解液に含浸された状態で弾性を発揮して電極体１１ａ及び１１ｂに圧接する凸列１２ｘが形成された圧接体１２とを備えた、非水電解質二次電池１。【選択図】  図１
2014199782.tif 000002
【特許請求の範囲】
【請求項１】
電極体と、
電解液と、
前記電極体及び前記電解液を収納する収納容器と、
前記電極体と前記収納容器の内壁との間に位置し、前記電解液に含浸された状態で弾性を発揮して前記電極体に圧接する起伏が形成された圧接体とを備えた、
蓄電素子。
【請求項２】
前記圧接体は、吸液性の素材により構成されており、
前記電解液を吸収していない状態において少なくとも前記起伏が形成された部分が平坦に変形しており、
前記電解液を吸収することにより前記起伏が復元される、
請求項１に記載の蓄電素子。
【請求項３】
前記圧接体の前記起伏は、前記電極体の外形に対応して全部又は一部が互いに異なる高さを有する、
請求項１又は２に記載の蓄電素子。
【請求項４】
前記圧接体は、前記電解液に含浸された状態において、前記起伏を形成している面の裏面に前記起伏の反転形状としての起伏が形成されている、
請求項１から５のいずれかに記載の蓄電素子。
【請求項５】
前記起伏は、前記電極体の表面に圧接して変形する複数の突起として形成されている、
請求項１から６のいずれかに記載の蓄電素子。
【請求項６】
前記複数の突起は、前記電極体の長手方向に沿って、同一高さを保ち延伸する複数の凸列として形成されている、
請求項７に記載の蓄電素子。
【請求項７】
電極体及び前記電極体及び電解液を収納する収納容器を有する蓄電素子の、前記電極体と前記収納容器の内壁との間に配置される圧接体であって、
前記電解液に含浸された状態で弾性を発揮して前記電極体に圧接する複数の突起を有し、
前記電解液を吸収していない状態において平板状の外形に変形しており、
前記電解液を吸収することにより前記突起が復元される、
圧接体。
【発明の詳細な説明】
【技術分野】
【０００１】
本発明は、例えば二次電池その他の電池等の蓄電素子及びそれに用いられる圧接体に関する。
【背景技術】
【０００２】
二次電池は、一次電池の置きかえ用途はもとより、携帯電話、ＩＴ機器などの電子機器の電源として広く普及している。とりわけ、リチウムイオン二次電池に代表される非水電解質二次電池は、高エネルギー密度であることから、電気自動車などの産業用大型電気機器への応用も進められている。
【０００３】
非水電解質二次電池は、一般に金属製の収納容器の内部に、微多孔膜のセパレータで離隔された正負の極板を積層又は巻回してなる電極体と電解液とが封入された構成を有する（例えば特許文献１、図１等を参照）。このような非水電解質二次電池は、高出力、大容量を得るために、複数の電池を配列したモジュール化が進められている。
【先行技術文献】
【特許文献】
【０００４】
【特許文献１】特許第４２９６５２２号公報
【発明の概要】
【発明が解決しようとする課題】
【０００５】
しかしながら、以上のような従来の非水電解質二次電池においては、以下のような課題があった。すなわち、収納容器の外側に設けられた電極端子と電気的に接続された電極体は、収納容器内にて吊下げられるようにして固定されている。したがって、非水電解質二次電池に衝撃や振動が加えられた場合、電極体は収納容器内で揺動して、電極体の固定部分に応力が集中したり、電極体が収納容器の内壁に接触する等して、破損又は短絡を生ずるおそれがある。
【０００６】
このように、従来の非水電解質二次電池をはじめとする蓄電素子は、耐衝撃性や耐振動性に関して、改善の余地を有していた。
【０００７】
本発明は、上記の課題に鑑みてなされたものであり、収納容器内にて電極体を安定して保持することができる蓄電素子及びそれに用いられる圧接体を提供することを目的とする。
【課題を解決するための手段】
【０００８】
上記の目的を達成するために、本発明の第１の側面は、
電極体と、
電解液と、
前記電極体及び前記電解液を収納する収納容器と、
前記電極体と前記収納容器の内壁との間に位置し、前記電解液に含浸された状態で弾性を発揮して前記電極体に圧接する起伏が形成された圧接体とを備えた、
蓄電素子である。
【０００９】
本発明の第２の側面は、
前記圧接体は、吸液性の素材により構成されており、
前記電解液を吸収していない状態において少なくとも前記起伏が形成された部分が平坦に変形しており、
前記電解液を吸収することにより前記起伏が復元される、
本発明の第１の側面の蓄電素子である。
【００１０】
本発明の第３の側面は、
前記圧接体の前記起伏は、前記電極体の外形に対応して全部又は一部が互いに異なる高さを有する、
本発明の第１又は第２の側面の蓄電素子である。
【００１１】
本発明の第４の側面は、
前記圧接体は、前記電解液に含浸された状態において、前記起伏を形成している面の裏面に前記起伏の反転形状としての起伏が形成されている、
本発明の第１から第５のいずれかの側面の蓄電素子である。
【００１２】
本発明の第５の側面は、
前記起伏は、前記電極体の表面に圧接して変形する複数の突起として形成されている、
本発明の第１から第６のいずれかの側面の蓄電素子である。
【００１３】
本発明の第６の側面は、
前記複数の突起は、前記電極体の長手方向に沿って、同一高さを保ち延伸する複数の凸列として形成されている、
本発明の第７の側面の蓄電素子である。
【００１４】
本発明の第７の側面は、
電極体及び前記電極体及び電解液を収納する収納容器を有する蓄電素子の、前記電極体と前記収納容器の内壁との間に配置される圧接体であって、
前記電解液に含浸された状態で弾性を発揮して前記電極体に圧接する複数の突起を有し、
前記電解液を吸収していない状態において平板状の外形に変形しており、
前記電解液を吸収することにより前記突起が復元される、
圧接体である。
【発明の効果】
【００１５】
以上のような本発明は、蓄電素子において収納容器内に電極体を安定して保持することが可能になるという効果を奏する。
【図面の簡単な説明】
【００１６】
【図１】本発明の実施の形態に係る非水電解質二次電池の構成を示す分解斜視図
【図２】本発明の実施の形態に係る非水電解質二次電池の構成を示す正面図
【図３】本発明の実施の形態に係る非水電解質二次電池の構成を示す側面図
【図４】（ａ）本発明の実施の形態に係る非水電解質二次電池の圧接体の変形前の構成を示す斜視図（ｂ）本発明の実施の形態に係る非水電解質二次電池の圧接体の変形後の構成を示す斜視図
【図５】（ａ）本発明の実施の形態に係る非水電解質二次電池の圧接体の変形前の構成を示す側面図（ｂ）本発明の実施の形態に係る非水電解質二次電池の圧接体の変形後の構成を示す側面図
【図６】本発明の実施の形態に係る非水電解質二次電池の、圧接体を用いた作成状態を説明するための図
【図７】（ａ）本発明の実施の形態に係る非水電解質二次電池の圧接体の他の構成例を示す斜視図（ｂ）本発明の実施の形態に係る非水電解質二次電池の圧接体の他の構成例を示す側面図
【図８】本発明の実施の形態に係る非水電解質二次電池の圧接体の他の構成例を示す斜視図
【図９】（ａ）本発明の実施の形態に係る非水電解質二次電池の圧接体の他の構成例を示す斜視図（ｂ）本発明の実施の形態に係る非水電解質二次電池の圧接体の他の構成例を示す斜視図（ｃ）本発明の実施の形態に係る非水電解質二次電池の圧接体の他の構成例を示す斜視図
【発明を実施するための形態】
【００１７】
以下、本発明の実施の形態について、図面を参照しながら説明する。
【００１８】
（１．非水電解質二次電池）
図１は、本発明の実施の形態に係る非水電解質二次電池１の構成を、一部を分解した状態で模式的に示す斜視図である。
【００１９】
図１に示すように、非水電解質二次電池１は、アルミニウム製の開口箱状の容器本体１０と、容器本体１０の開口１０ｘを封止する、容器本体と同一材料製の板状の蓋部２０とから構成される外形六面体状の収納容器を外装として備える。なお、非水電解質電池１の内部構成を説明するため、容器本体１０は、図１中においては破線により輪郭を示し、要部を透視図として示した。
【００２０】
容器本体１０の内部空間１０ｚには、帯状の電極である正極と負極を、間にセパレータを介して長円筒形に巻回した構成を有する電極体１１ａ及び１１ｂが並列した状態で配置されている。図１においては、説明のため、電極体１１は蓋部２０と組み合わされ、容器本体１０から半ば抜き出された状態として示した。
【００２１】
以下、各電極体の近傍の共通する構成について、電極体１１ａ近傍を例に取り説明を行う。電極体１１ａの巻回軸の両端には正負両極の金属箔が露出し、金属箔露出部として容器本体１０の一対の短側面側にそれぞれ位置している。なお、図中には図中には正極側の金属箔である正極側金属箔露出部１１ａ２近傍の構成のみ符号を付して説明するが、負極側も同様である。
【００２２】
正極側金属箔露出部１１ａ２は蓋部２０に固定された集電体１１ａ３に接続され、集電体１１ａ３及び正極側金属箔露出部１１ａ２は薄い金属板製の挟持板１１ａ４に挟まれて溶接、固定される。集電体１１ａ３は蓋部２０上に位置する金属製の中継板２２と、圧着等の周知の技術的手段により電気的、機械的に接続されており、更に中継板２２は外部接続用の電極端子２３と電気的に接続されている。これにより、電極体１１ａ及び１１ｂから収納容器の外部に電気が取り出される。
【００２３】
電極端子２３と電極体１１ａ及び１１ｂとを結ぶ導電路は、絶縁体である合成樹脂製のパッキン２１によって収納容器と絶縁されている。パッキン２１は収納容器内部からの電解液の漏出を防ぐために導電路と収納容器との間の空間、隙間を密封する役割も果たす。
【００２４】
蓋部２０には、容器本体１０がレーザ溶接等により封止された後に電解液を注入するための注入口２４が設けられている。蓋部２０は、電極体１１ａ及び１１ｂと結合された状態で、電極体１１ａ及び１１ｂを開口１０ｘから挿入するようにして容器本体１０と結合され、接合部分はレーザ溶接等により封止される。蓋部２０と容器本体１０の封止後に、電解液が注入口２４を介して内部空間１０ｚに注入され、電解液を注入した後の注入口２４は封止栓２５により封止される。
【００２５】
また、容器本体１０の内底１０ｙと電極体１１との間には圧接体１２が位置している。圧接体１２は、図１及び図２に示すように、容器本体１０の内底１０ｙとほぼ等しい輪郭形状を有する、絶縁性材料により作成された部材であって、電極体１１ａ及び１１ｂの各巻回軸の伸びる方向に対応する内底１０ｙの長辺に略平行に形成された、内底１０ｙの短辺に平行な直線で切断した断面形状が略逆Ｖ字状、略三角形又は略楔形であって、電極体１１に対向する頂角にＲがついた凸列１２ｘを複数有する。なお、図２においては、説明のため、容器本体１０を、容器本体１０自身の長側面に平行な面で切断した断面図として示した。
【００２６】
圧接体１２は、電極体１１と容器本体１０との間に位置することによって、電極体１１ａ及び１１ｂと容器本体１０との間の絶縁状態を確保するともに、蓋部２０に固定された電極体１１ａ及び１１ｂを内底１０ｙ側から支えている。圧接体１２は一定の弾性を有することにより、図３の側面図に示すように、複数の凸列１２ｘの先端がそれぞれ電極体１１ａ及び１１ｂに圧接して変形し、帯状の接触面１２ａ及び１２ｂを形成して面接触する。なお、図３においても、説明のため、容器本体１０を、容器本体１０自身の短側面に平行な面で切断した断面図として示した。
【００２７】
これにより、電極体１１ａ及び１１ｂは、蓋部２０に機械的に固定され、且つ、内底１０ｙ側から圧接体１２を介して弾性的に固定されることとなり、収納容器の内部空間１０ｚ内に安定的に保持される。したがって、非水電解質二次電池１が外部からの振動や衝撃を受けた場合であっても電極体１１ａ及び１１ｂの揺動は抑制され、耐振動性や耐衝撃性が向上する。その結果、非水電解質二次電池１の信頼性を向上させることができる。
【００２８】
次に、図４及び図５を参照して、圧接体１２の構成について説明するとともに、これにより、本発明の圧接体の一実施の形態について説明を行う。
【００２９】
（２．圧接体）
図４（ａ）は、非水電解質二次電池１に組み込まれる前の圧接体１２の状態を示す斜視図であり、図４（ｂ）は、図１同様、非水電解質二次電池１内に組み込まれた後の圧接体１２の仮想的な状態を示す斜視図であり、図５（ａ）（ｂ）はそれぞれ図４（ａ）（ｂ）に対応する側面図である。
【００３０】
圧接体１２は、吸液性、絶縁性、耐腐食性、耐熱性を有する多孔質ポリマー材料により形成されることが望ましい。ポリマー材料としては、例えば、ポリエチレン、ポリプロピレン、ポリエチレンテレフタレート、ポリテトラフルオロエチレン、ポリウレタン、ポリイミド、アクリル樹脂等を挙げることができる。特に電解液に対して良好な耐腐食性及び吸収性を有することが望ましい。
【００３１】
圧接体１２は、大気中（１気圧下）では、図４（ｂ）及び図５（ｂ）に示すように、あらかじめ凸列１２ｘを有した形態として作成される。また、図５（ｂ）に示すように、圧接体１２は全体として蛇腹状の断面形状を有する。
【００３２】
すなわち、電極体１１ａ及び１１ｂと対向する側は、凸列１２ｘと、凸列１２ｘの間に形成される、断面は頂角にＲを有するＶ字状の凹溝１２ｚ１とが周期的に配列されており、容器本体１０の内底１０ｙとの対向面においては、これら凸列１２ｘと凹溝１２ｚ１の反転形状として、凹溝１２ｚ２及び凸列１２ｙが配列されている。
【００３３】
このような圧接体１２は、乾燥圧縮することにより、図４（ａ）及び図５（ａ）に示す平板形状の素体１２０に形成される。素体１２０は、容器本体１０の内底１０ｙとほぼ同一であって開口１０ｘの形状よりも小さい、矩形の主面１２１を有する。
【００３４】
以上の構成において、非水電解質二次電池１は本発明の蓄電素子に相当し、容器本体１０と蓋部２０の組合せは本発明の収納容器に相当する。圧接体１２及び素体１２０はそれぞれ本発明の圧接体に相当する。凸列１２ｘは本発明の起伏、複数の突起、及び凸列に相当する。
【００３５】
このような構成を有する本実施の形態による非水電解質二次電池１は、凸列１２ｘを有する圧接体１２が、非水電解質二次電池１の内部空間１０ｚに電解液が充填された状態において形成されるものであることを特徴とする。
【００３６】
すなわち、非水電解質二次電池１は、収納容器に電極体１１及び圧接体１２が収納され、電解液が封入された状態にて完成するが、容器本体１０が蓋部２０により封止され、内部空間１０ｚに電解液が封入される直前の段階においては、圧接体１２は素体１２０として収納容器に格納されており、蓋部２０の注入口２４から注入された電解液に含浸されることにより膨張して、圧接体１２生来の形状が復元される。
【００３７】
これにより、内部空間１０ｚにて事後的に形成された凸列１２は、電解液に含浸された状態の圧力をもって電極体１１ａ及び１１ｂに接触し、図２及び図３に示す圧接状態を形成する。
【００３８】
図５（ｂ）に示す圧接体１２の全高ｈは、電極体１１ａ及び１１ｂと容器本体１０の内底１０ｙとの距離よりも大きいため、圧接体１２は、そのままの形状で収入容器に封入した場合は、蓋部２０と容器本体１０との接合に際して干渉物となってしまい、電池作成の障害となってしまう。
【００３９】
これに対し、本実施の形態は、圧接体１２を、電極体１１ａ及び１１ｂと容器本体１０の内底１０ｙとの距離よりも厚みの小さい平板状の素体１２０として収納容器内に組み込ませるようにしたことより、電池作成に悪影響を与えない。
【００４０】
また、素体１２０は、内底１０ｙとほぼ同一形状の主面１２１を有する矩形状としたことにより、図６に示すように、容器本体１０に簡便に収納させ、底面１０ｙ上にて位置ずれを生ずることなく配置させることができ、収納容器への配置を更に簡便とすることができる。
【００４１】
このとき、図５（ａ）（ｂ）に示すように、素体１２０の短手方向の寸法Ｗ１は、開口１０ｘの短手方向よりも小さくする一方、完成後の圧接体１２の短手方向の寸法Ｗ２は、電解液の吸収による膨張を考慮して、寸法Ｗ１より大きくとることが望ましい。特に、寸法Ｗ２を底面１０ｙの短辺の寸法より大きくとることにより、図３に示すように、圧接体１２は収納容器の短辺側において内壁に圧接することができ、収納容器内で固定した状態で電極体１１ａ及び１１ｂの揺動を抑制することができる。
【００４２】
更に、電極体１１ａ及び１１ｂと圧接体１２との接触は、圧接体１２が電解液に含浸された状態でなされるため、接触面１２ａ及び１２ｂは、各電極体の表面形状に精度良く追従して形成されることとなり、圧接体１２の電極体に対する保持力を向上させ、安定的な保持の効果を高めている。
【００４３】
更に、本実施の形態は、圧接体１２の凸列１２ｘ及び凹溝１２ｚ１が、底面１０ｙの長辺に略平行に延出して形成されることにより、注入口２４から注入される電解液の流路として機能する。図１及び図２に示すように、注入口２４は圧接体１２のほぼ中央に重なるように位置し、蓋部から注入された電解液は、素体１２０から変形途上の圧接体１２上を、凹溝１２ｚ１に沿って流動できる。
【００４４】
これにより、電解液は素体１２０上に満遍なく含浸され、圧接体１２を良好に復元させるとともに、収納容器の内部空間１０ｚ内にムラ無く注入される。
【００４５】
更に、圧接体１２は、蛇腹状の断面形状を有し、電極体１１ａ及び１１ｂと対向する側は断面Ｖ字状の凹溝１２ｚ１が周期的に配列され、容器本体１０の内底１０ｙと対向する側においては凹溝１２ｚ２が配列されている。これら凹溝により、図３に示すように、電極体１１ａ及び１１ｂと内底１０ｙとの間には、電解液が流動可能な空隙１０ｚ１及び１０ｚ２が形成されることとなる。
【００４６】
このように、本実施の形態の非水電解質二次電池１によれば、電極体１１ａ及び１１ｂと容器本体１０の内底１０ｙとの間に位置する、電池の完成前においては平板状の素体１２０に変形している圧接体１２を備えたことにより、電極体１１ａ及び１１ｂの揺動を抑制することができる。
【００４７】
以上、本発明の実施形態について詳細に説明したが、本発明は上記の実施の形態に限定されるものではない。
【００４８】
上記の実施の形態においては、圧接体１２は、同一高さｈの凸列１２ｘが配列される構成として説明を行ったが、凸列の高さは、電極体又は収納容器の内部形状に応じて変化させるようにしてもよい。
【００４９】
一例として、図７（ａ）（ｂ）に示す圧接体１３は、高さｈ１を有する凸列１３ｘ及び高さｈ２を有する凸列１３ｙの、２種類の凸列を備えたことを特徴とする。
【００５０】
一般に巻回型の電極体は、巻回軸に直交する断面形状が長円又は楕円状に変形しており、収納容器の内壁との距離は一様ではない。
【００５１】
このような電極体の表面形状に対応して、圧接体１３においては、電極体１１ａ及び１１ｂの扁平度合いが最大になる中央部分に対向する凸列１３ｙの高さｈ２を、周辺部分に対向する凸列１３ｘの高さｈ１よりも小さくしている。なお、一様に平坦な面である内底１０ｙに対向する凸列１３ｚは、圧接体１２同様、一様な高さを有する。
【００５２】
これにより、電極体の表面と各凸列との距離が平均化され、圧接体１３は、電極体１１ａ及び１１ｂに対して均等な力で圧接することができ、電極体に対する保持力を更に向上させることが可能となる。
【００５３】
また、上記の説明においては、圧接体１２は、蛇腹状の断面形状を有し、電極体及び収納容器の内底の双方に対して凸列を有するものとしたが、凸列は、電極体側に対向する側にのみ設けるようにしてもよい。
【００５４】
図８に示す圧接体１４は、電極体１１ａ及び１１ｂとの対向面を、凸列１２ｘと同一形状の凸列１４ｘとし、容器本体１０の内底１０ｙとの対向面を、起伏を持たない平坦面１４ａとしたものである。この場合、平坦面１４ａと内底１０ｙとは全面において面接触することとなり、電極体の揺動に圧接体が従動することを抑制して、電極体を収納容器内に安定的に保持することを可能とする。
【００５５】
また、上記の説明においては、凸列１２ｘは、断面形状として、略逆Ｖの字状、略三角形状又は略楔形状であって、頂角にＲを有するものとして説明を行ったが、断面形状は略逆Ｕの字状であってもよい。この場合、凸列１２ｘと電極体１１ａとの接触面積を更に大きくとることができ、好適である。
【００５６】
また、上記の説明においては、本発明の突起は、内底１０ｙの長辺に略平行に形成された凸列１２ｘであるとして説明を行ったが、図９（ａ）の圧接体１５に示すように、内底１０ｙの短辺に略平行に形成される凸列１５ｘとして実現されるものであってもよいし、図９（ｂ）の圧接体１６に示すように、平坦面１６ｙ上に形成された突起１６ｘとして実現されるものであってもよい。
【００５７】
特に、圧接体１６は、突起１６ｘの平坦面１６ｙ上に於ける位置を、電極体１１ａ及び１１ｂの表面形状に対応させて、電極体１１ａ及び１１ｂの表面から突起１６ｘ及び平坦面１６ｙのそれぞれまでの距離が等しくなるよう調整することにより、図７に示す構成例と同様、圧接体１６の表面が電極体１１ａ及び１１ｂに対して均等な力で圧接して、電極体に対する保持力を更に向上させることが可能となる。
【００５８】
要するに、本発明の突起は、電極体の表面に圧接して変形することにより面接触するものであれば、その具体的な態様により限定されるものではない。
【００５９】
更に、上記の説明においては、本発明の起伏は、凸列又は突起として形成されるものとしたが、図９（ｃ）の圧接体１７に示すように、平坦な主面１７ｂ上に内底１０ｙの長辺に略平行に形成される、輪郭が円弧状の凹溝１７ｘとして実現されるものであってもよい。
【００６０】
圧接体１７においては、凹溝１７ｘと平面１７ｂとの境界である縁１７ｙが電極体１１ａ及び１１ｂに圧接され、変形する。これにより、上記の凸列１２ｘ又は各種突起と同様、電極体に複数箇所にて面接触して、安定的に保持することが可能となる。
【００６１】
要するに、本発明の圧接体は、電極体の表面に圧接して変形する起伏が、電極体と対向する主面上に形成されていればよく、その具体的な態様により限定されるものではない。又、上記の説明においては、圧接体１５〜１７はいずれも容器本体１０の内底１０ｙとの対向面が、起伏を持たない平坦面１５ａ〜１７ａとしたが、圧接体１２と同様、内底１０ｙとの対向面は、凸列又は突起等を有する主面の反転形状としての起伏を有するものとしてもよい。この場合、内底１０ｙと当該対向面との間には、電解液が充填される空隙を形成して、収納容器における電解液の容量を確保して、長寿命の電池を得ることができる。
【００６２】
なお、上記圧接体１３〜１４のいずれの圧接体においても、本発明においては共通の外形寸法を有する素体１２０として作成することができ、圧接体１２の場合と同様、容器本体１０に簡便に収納させ、底面１０ｙ上にて位置ずれを生ずることなく配置させることができ、収納容器への組込みを簡便とすることができる。
【００６３】
更に、圧接体１２〜１４は、いずれも収納容器に組み込む前は、平面形状が矩形の主面１２１を有する素体１２０に乾燥圧縮されているものとしたが、本発明の圧接体は、電解液に含浸される前の状態において、少なくとも起伏を生ずる部分が平坦な面に変形されていればよい。したがって、圧接体は、電解液に含浸した状態で起伏を生じさせる部分と、電解液に含浸される前後で形状が変化しない部分の多層構成としてもよい。
【００６４】
また、上記の説明においては、本発明の電極体は巻回型であるとしたが、積層型の電極体としてもよい。また、電極体の個数は単数であってもよいし、３つ以上であってもよい。
【００６５】
また、上記の説明においては、本発明の蓄電素子は、リチウムイオン二次電池に代表される非水電解質二次電池１であるとしたが、電気化学反応により充放電可能な電池であれば、ニッケル水素電池その他各種の二次電池を用いてもよい。又、一次電池であってもよい。要するに、本発明の蓄電素子は電極体と電解液を収納容器内に封入してなる電気を蓄積可能な素子であれば、起電力を発生させるための具体的な方式によって限定されるものではない。
【００６６】
また、上記の説明においては、容器本体１０及び蓋部２０から構成される収納容器は、本発明の収納容器に相当するものであり、電極体１１ａ及び１１ｂは蓋部２０に接続され、電極端子２３等は蓋部２０側に設けられるものとしたが、本発明は、圧接体が電極体と収納容器との間に位置していればよく、収納容器は蓋部と容器本体との組合せの具体的態様に限定されるものではない。
【００６７】
したがって、電極体１１ａ及び１１ｂが容器本体１０に接続された状態で蓋部に封止される構成であってもよく、電極端子等が容器本体１０側に設けられた構成であるとしてもよい。このような収納容器を有する蓄電素子においては、圧接体が電極体と蓋部との間に位置する構成であっても本発明の範囲に含まれるものである。
【００６８】
また、容器本体１０はアルミニウム製であるとしたが、アルミニウム合金、ステンレスその他任意の金属又は金属化合物、樹脂、又はアルミニウムラミネートを材料とするものであってもよい。又、形状は直方体としたが、底面が三角形、又は五角形以上の多角形である角柱形状であるとしてもよい。更には円筒形状であってもよい。
【００６９】
更に、圧接体１２の形状は、図２に示すように、内底１０ｙの平面形状に対応した矩形であって、これは電極体１１ａ及び１１ｂの長手方向と一致するものとしたが、収納容器の内底１０ｙ全面を覆うものとしてもよいし、電極体１１ａ及び１１ｂの一部と対向する程度の寸法であってもよい。なお、長手方向とは上記実施の形態においては電極体１１ａ及び１１ｂのそれぞれの巻回軸の伸びる方向であるが、電極体の巻回軸に直交する側の寸法のほうが大きい場合は、当該寸法を有する側に沿った方向であってもよい。
【００７０】
また、上記の説明においては、単体の非水電解質二次電池１を例に取ったが、本発明は、複数の蓄電素子において少なくとも一つの蓄電素子に本発明の蓄電素子を含んでなる、電源モジュールとして実現してもよい。
【００７１】
要するに、本発明は、その要旨を逸脱しない範囲内であれば、以上説明したものを含め、上記実施の形態に種々の変更を加えたものとして実施してもよい。
【産業上の利用可能性】
【００７２】
以上のような本発明は、収納容器内にて電極体を安定して保持し、高い信頼性を得ることが可能になる効果を有し、例えば二次電池のような蓄電素子において有用である。
【符号の説明】
【００７３】
１        非水電解質二次電池
１０      容器本体
１０ｘ      開口
１０ｙ      底面
１０ｚ      内部空間
１１ａ、１１ｂ      電極体
１１ａ１      セパレータ
１１ａ２      電極
１１ａ３      集電体
１１ａ４      挟持板
１０ｚ１、１０ｚ２      空隙
１２      圧接体
１２ｘ、１２ｙ      凸列
１２ｚ１、１２ｚ２    凹溝
２１      パッキン
２２      中継板
２３      電極端子
２４      注入口
２５      封止栓
【図１】
2014199782.tif 000003
【図２】
2014199782.tif 000004
【図３】
2014199782.tif 000005
【図４】
2014199782.tif 000006
【図５】
2014199782.tif 000007
【図６】
2014199782.tif 000008
【図７】
2014199782.tif 000009
【図８】
2014199782.tif 000010
【図９】
2014199782.tif 000011